(57)【要約】【課題】従来の電子機器においては、記録媒体挿入口を開閉蓋で閉じる構成となっていたため、ビデオカメラの外観形態が意匠的に煩雑な感じを与えるばかりでなく、開閉蓋を設置するために多くの部品が必要となり、不経済であった。【解決手段】半導体記憶媒体５が出し入れされる記憶媒体挿入口６が開口された外装ケース２と、記憶媒体挿入口６を開閉可能として装置本体に回動可能に支持された表示装置４と、を備えている。表示装置４は、画像情報を表示可能な平面パネル１１と、その平面パネル１１を有し且つ外装ケース２に回動可能に取り付けられたパネルケース１２と、を具え、パネルケースの枠部分１６の一部を、記憶媒体挿入口６の一部と重なり合うように配置し、表示装置４を外装ケース２に接触させたときに、記憶媒体挿入口６から挿入された半導体記憶媒体５が平面パネル１１の表示面と接触しないようにした。【選択図】図１
2007174365.tif 000002
【特許請求の範囲】
【請求項１】
情報記憶媒体が出し入れされる記憶媒体挿入口が開口された装置本体と、
前記記憶媒体挿入口を開閉可能として前記装置本体に回動可能に支持された表示装置と、を備え、
前記表示装置は、画像情報を表示可能な平面パネルと、前記平面パネルの表示面を露出させる開口窓を有し且つ前記装置本体に回動可能に支持されたパネルケースと、を具え、
前記パネルケースの前記開口窓を囲う枠部分の一部を、前記記憶媒体挿入口の少なくとも一部と重なり合うように配置し、前記表示装置を前記装置本体に接触させたときに、前記記憶媒体挿入口から挿入された情報記憶媒体が前記平面パネルの表示面と接触しないようにした、ことを特徴とする電子機器。
【請求項２】
前記記憶媒体挿入口の内側に配置された記憶媒体収納部には、前記情報記憶媒体の押圧操作を繰り返すことにより当該情報記憶媒体の装着動作と離脱動作が交互に実行されるプッシュ・プッシュ機構を設けたことを特徴とする請求項１記載の電子機器。
【請求項３】
前記記憶媒体挿入口の内側に配置される記憶媒体収納部を、前記装置本体の前記記憶媒体挿入口が開口された面に対して略垂直をなす方向に延在させて設けたことを特徴とする請求項１記載の電子機器。
【請求項４】
前記装置本体の、前記パネルケースの前記枠部分で囲まれた部分の内側に、周辺機器と電気的に接続するためのコネクタを配置したことを特徴とする請求項１記載の電子機器。
【発明の詳細な説明】
【技術分野】
【０００１】
本発明は、ビデオカメラやスチルカメラ等の撮像装置、パーソナルコンピュータ、携帯電話、電子辞書その他の電子機器に関し、特に、外部記憶装置として情報記憶媒体が着脱可能に装着される記憶媒体収納部の記憶媒体挿入口を装置本体に設け、その装置本体に回動可能に支持された表示装置により記憶媒体挿入口を開閉可能とした電子機器に関するものである。
【背景技術】
【０００２】
従来の、この種の電子機器としては、例えば、特許文献１に記載されているようなものがある。特許文献１には、カード型記録媒体に撮影画像中の静止画データ等を記録、再生することができるビデオカメラのカード型記録装置に関するものが記載されている。この特許文献１に記載されたビデオカメラは、「撮影部と、上記撮影部の後部に配置されたビューファインダー部と、上記撮影部及びビューファインダー部の下部に配置され、撮影画像等をテープ状記録媒体又はディスク状記録媒体等の主記録媒体に記録、再生するメカデッキ部と、上記メカデッキ部の一側部に配置された開閉式のモニター部とを備えたビデオカメラにおいて、カード型記録装置に撮影画像等を記録、再生するカード型記録装置を、上記撮影部及びビューファインダー部の下部で、上記メカデッキ部と上記モニター部で囲まれた空間内にこれらメカデッキ部及びモニター部とほぼ平行状に配置した」ことを特徴としている。
【０００３】
このような構成を有するビデオカメラによれば、「従来、カード型記録再生装置を収容するために必要であったメカデッキ部のモニター部とは反対側の張り出し部を除去することができ、撮像部の固体撮像素子の高画素数に対応させて大口径のレンズを搭載しても、ビデオカメラの小幅化を図ることができて、高感度で、薄型のビデオカメラを実現することができる（明細書の段落［００３７］）」等の効果が期待される。
【０００４】
また、従来のこの種の電子機器の他の例としては、例えば、特許文献２に記載されているようなものもある。特許文献２には、情報記録媒体が挿入される記録媒体挿入口を開閉する開閉扉を有する電子機器に関するものが記載されている。この特許文献２に記載された電子機器は、「情報記録媒体が出し入れされる記録媒体挿入口が設けられた機器本体と、上記記録媒体挿入口を開閉するため上記機器本体に回動自在に支持された開閉扉と、を備えた電子機器において、上記開閉扉は、当該開閉扉の回動中心と上記機器本体に接触する接触部とを結んだ直線が上記記録媒体挿入口の開口面に対して傾斜するように取り付けた」ことを特徴としている。
【０００５】
このような構成を有する電子機器によれば、「記録媒体挿入口の外縁が外力によって内側に撓んだような場合にも、接触面から開閉扉に付与される力によって開閉扉を後方へ回動させることにより、開閉扉が潰されるのを防ぐことができる（明細書の段落［００６８］）。」という効果が期待される。
【０００６】
しかしながら、特許文献１に記載されたビデオカメラ及び特許文献２に記載されたビデオカメラのいずれの場合においても、ビデオカメラの背面に記録媒体挿入口が配設されていると共に、その開口部を開閉蓋で閉じる構成となっていた。そのため、記録媒体挿入口がビデオカメラの外観形態として常時現れていることから、意匠的に煩雑な感じを与えると共に、開閉蓋、回動軸、コイルばね等の開閉蓋を設置するために多くの部品が必要となり、組立時の作業性等の点からも不経済であるという問題があった。
【０００７】
一方、従来のビデオカメラにおいても、装置本体に対して回動可能に支持された表示装置が設けられており、この表示装置を開閉蓋として考えて、その開閉蓋の領域内に記録媒体挿入口を配置することも考えられる。ところが、記録媒体挿入口の配置を簡単に考えて、平面パネルを保持するパネルケースの枠部分の内側に記録媒体挿入口を配置するときには、例えば、誤挿入や中途半端な挿入作業等によって情報記憶媒体が所定位置まで挿入されずに後部が突出するような状態が起こる。このような状態において、表示装置を閉じると、平面パネルの表示面が情報記憶媒体に当接し、その際の衝突によって表示面が破損するおそれがあるという問題がある。
【特許文献１】特開２００１−５３９９４号公報
【特許文献２】実開２０００−３２２５１８号公報
【発明の開示】
【発明が解決しようとする課題】
【０００８】
解決しようとする問題点は、従来の電子機器においては、記録媒体挿入口を開閉蓋で閉じる構成となっていたため、ビデオカメラの外観形態が意匠的に煩雑な感じを与えるばかりでなく、開閉蓋を設置するために多くの部品が必要となり、不経済であるという点である。また、表示装置を開閉蓋として用いることも考えられるが、誤挿入や中途半端な挿入作業等によって情報記憶媒体が所定位置まで挿入されずに後部が突出した場合には、その突出部によって平面パネルの表示面が破損するおそれがある、という点である。
【課題を解決するための手段】
【０００９】
本出願の電子機器は、情報記憶媒体が出し入れされる記憶媒体挿入口が開口された装置本体と、記憶媒体挿入口を開閉可能として装置本体に回動可能に支持された表示装置と、を備え、表示装置は、画像情報を表示可能な平面パネルと、その平面パネルの表示面を露出させる開口窓を有し且つ装置本体に回動可能に支持されたパネルケースと、を具え、パネルケースの開口窓を囲う枠部分の一部を、記憶媒体挿入口の少なくとも一部と重なり合うように配置し、表示装置を装置本体に接触させたときに、記憶媒体挿入口から挿入された情報記憶媒体が平面パネルの表示面と接触しないようにしたことを最も主要な特徴とする。
【発明の効果】
【００１０】
本出願の電子機器によれば、装置本体の表示装置によって覆われる部分に記憶媒体挿入口を配置したため、表示装置を開閉蓋として用いて、埃や塵が記憶媒体挿入口から装置本体内に入り込むのを防止することができる。しかも、表示装置のパネルケースの枠部分の一部を記憶媒体挿入口の少なくとも一部に重ね合わせる構成としたため、記憶媒体挿入口から情報記憶媒体が突出した状態において、誤って表示装置を閉じたときにも、情報記憶媒体が平面パネルの表示面に当接するのを防止して、情報記憶媒体によって平面パネルが破損されるのを防止することができる。
【発明を実施するための最良の形態】
【００１１】
装置本体の表示装置によって覆われる部分の内側に記憶媒体挿入口を配置すると共に、表示装置のパネルケースの枠部分の一部を記憶媒体挿入口の少なくとも一部に重ね合わせる構成とすることにより、埃や塵の侵入を防止できると共に、情報記憶媒体によって平面パネルが破損されるおそれのない電子機器を、簡単な構造によって実現した。
【００１２】
図１〜図６は、本発明の実施の形態の例を示すものである。即ち、図１は本発明の電子機器の第１の実施の例を示すデジタルビデオカメラの表示装置を開いた状態を背面側から見た斜視図、図２は同じく表示装置を閉じた状態を背面側から見た斜視図、図３は同じく表示装置側を正面側から見た斜視図、図４は同じくメカデッキ側を正面側から見た斜視図、図５は同じく表示装置側の側面図、図６は一部を断面した平面図である。
【実施例１】
【００１３】
図１〜図６は、本発明の電子機器の一具体例を示す撮像装置の第１の実施例として適用したデジタルビデオカメラ１である。このデジタルビデオカメラ１は、２種類の情報記憶媒体を用いて、それぞれの情報記憶媒体に対して選択的に情報信号を記録したり、記録された情報の再生を行うことができるようにしたものである。
【００１４】
このデジタルビデオカメラ１に使用されている２つの情報記憶媒体のうち、第１は、カセットケース内に磁気テープを収納したテープ状記憶媒体（例えば、テープカセット等）であり、第２は、プラスチックカードの中にＣＰＵ、メモリ等のＬＳＩを内蔵した半導体記憶媒体（例えば、メモリカード等）である。このデジタルビデオカメラ１は、これらの情報記憶媒体を選択的に用いて、光学的な画像を撮像手段の一具体例を示すＣＣＤ（固体撮像素子）で電気的な信号に変換して、その画像情報をテープ状記憶媒体や半導体記憶媒体に記録したり、液晶ディスプレイ等の平面パネルからなる表示装置に表示できるようにしている。
【００１５】
このような情報記憶媒体のうち、本発明が対象としている媒体は半導体記憶媒体であり、他方の記憶媒体としては、この実施例のテープ状記憶媒体に限定されるものではない。例えば、他方の情報記憶媒体として、光ディスク、光磁気ディスク、磁気ディスクその他のディスク状記憶媒体等を用いることができることは勿論のこと、一方の情報記憶媒体と同様に半導体記憶媒体を用いることもできる。
【００１６】
デジタルビデオカメラ１は、装置本体の一具体例を示す外装ケース２と、この外装ケース２の内部に収納されると共に着脱自在に装着される第１の情報記憶媒体としてのテープカセットの磁気テープを走行駆動して情報信号の記録（書き込み）及び再生（読み出し）を行うテープドライブ装置（メカデッキ）と、このテープドライブ装置の駆動制御等を行う制御回路と、被写体の像を光として取り込んでＣＣＤに導くレンズ装置３と、外装ケース２に回動自在に取り付けられた表示装置４と、第２の外部記憶装置として用いている半導体記憶媒体５（例えば、メモリカード等）が着脱可能に装着される記憶媒体収納部６等を備えて構成されている。
【００１７】
図１〜図６に示すように、外装ケース２は、略筒型をなす中空の筐体からなり、軸方向を前後方向に設定したような状態で使用されている。この外装ケース２の前部に、略同様の太さを有するレンズ装置３が配設されている。レンズ装置３は、そのレンズ系の光軸を水平方向に向けた状態で外装ケース２に取り付けられている。この外装ケース２の内部において、レンズ装置３の後部にＣＣＤが取り付けられている。そして、レンズ装置３の後方にビューファインダ装置７が配置されている。
【００１８】
外装ケース２の上部には、ビデオライトや外付けマイクロホン等のアクセサリーが着脱自在に装着されるアクセサリーシューを露出させる開口部が設けられている。アクセサリーシューは、レンズ装置３の上方に配置されており、通常は、開口部を開閉するシューキャップ８によって着脱可能に覆われている。更に、外装ケース２の前面の下部には、ステレオ方式のマイクロホン９が内蔵されて設けられている。そして、レンズ装置３の前面の上部には、フラッシュ装置の発光部１０が配置されている。
【００１９】
図１〜図３等に示すように、外装ケース２の一方の側面には、表示装置４が姿勢変更可能に取り付けられている。表示装置４は、平板状の液晶ディスプレイ等からなる平面パネル１１と、この平面パネル１１が収納されたパネルケース１２と、このパネルケース１２を外装ケース２に対して姿勢変更可能に支持するパネル支持部１３とから構成されている。パネルケース１２は、略直方体をなす偏平の筐体からなり、外装ケース２の一方の側面に対向する面には、平面パネル１１の表示面を露出させるための開口窓１５が設けられている。開口窓１５は、長手方向に延在された長方形の貫通穴からなり、この開口窓１５を囲う四辺には、それぞれに適当な幅を持たせた四角形の枠部分１６が形成されている。
【００２０】
更に、パネルケース１２の枠部分１６の、パネル支持部１３と反対側に位置する外枠片１６ａには、平面パネル１１を操作する複数の操作ボタン１７が配設されている。このパネルケース１２の枠部分１６の上枠片１６ｂの一部が、後述する記憶媒体挿入口の一部を塞ぐ遮蔽部１８となっている。
【００２１】
また、パネル支持部１３は、垂直軸を回動中心としてパネルケース１２を水平方向に略９０度回動可能とした水平回動部と、水平軸を回動中心としてパネルケース１２を前後方向に略１８０度回動可能とすると共に、更に加えて上下方向へ略９０度回動可能として合計約２７０度回動可能とした前後回動部とを有している。
【００２２】
これにより、表示装置４は、図３に示すように外装ケース２の側面に収納した収納状態と、図１に示すようにパネルケース１２を水平方向へ９０度回動させて平面パネル１１を後方へ対向させた状態と、その状態からパネルケース１２を１８０度回動させて平面パネル１１を前方へ対向させた状態と、平面パネル１１を後方へ対向させた状態から更に後方へ９０度回動させて平面パネル１１を下方へ向けた状態と、それらの中間位置の任意の状態（姿勢）を取ることができるようになっている。
【００２３】
この表示装置４によって開閉される外装ケース２の側面に、表示装置４の平面パネル１１側の一部を収納するために凹ませた収納用凹部２１が設けられている。収納用凹部２１は、パネルケース１２の外形に見合う形状とされており、その略中央部に、記憶媒体収納部６のための記憶媒体挿入口２２と、外部の周辺装置と電気的に接続するためのＵＳＢコネクタ２３が設けられている。そして、これら記憶媒体挿入口２２等の近傍に、内蔵されたスピーカ装置の音を放出するために複数の透孔２４が設けられている。
【００２４】
外装ケース２の収納用凹部２１内において、記憶媒体挿入口２２とＵＳＢコネクタ２３は、上下方向へ所定の間隔をあけて配置されている。記憶媒体挿入口２２は、使用される情報記憶媒体５の大きさに対応する大きさのスリット穴として形成され、その長手方向を上下方向に延在させて設けられている。この記憶媒体挿入口２２の前後両面には、外装ケース２の側面よりも深くまで情報記憶媒体５を挿入できるように、それぞれ凹部２５ａ，２５ｂが設けられている。前側凹部２５ａが長方形とされている一方、後側凹部２５ｂは、平面が半円形であって、奥行方向にも半円形に凹ませた立体的形状をなしており、指先をある程度の深さまで挿入できるように図られている。
【００２５】
この記憶媒体挿入口２２の内側に、開閉扉３０が配置され、更にその奥に、記憶媒体収納部６が設けられている。開閉扉３０は、記憶媒体挿入口２２を塞ぐことができる短冊状の部材からなり、その幅方向の一側に、軸方向を上下方向に設定した回動軸が設けられている。その回動軸にはコイルばねが装着されており、このコイルばねのばね力によって開閉扉３０が記憶媒体挿入口２２を塞ぐ方向に常時付勢されている。このコイルばねのばね力に抗して開閉扉３０を開くことにより、情報記憶媒体５の挿入が可能となる。
【００２６】
記憶媒体収納部６は、情報記憶媒体５のための電子回路が形成された記憶媒体用回路基板２７と、この記憶媒体用回路基板２７の一面に固定されたホルダプレート２８とを有している。ホルダプレート２８と回路基板２７との間には、情報記憶媒体５に対応した大きさ及び形状を有する空間部が形成されており、その空間部内に情報記憶媒体５が挿入される。更に、記憶媒体収納部６には、差し込まれた情報記憶媒体５に対する押圧操作を繰り返すことによってその情報記憶媒体５の装着動作（ロック動作）と離脱動作（ロック解除動作）が交互に繰り返して実行されるプッシュ・プッシュ機構２９が設けられている。
【００２７】
図６に示すように、記憶媒体収納部６は、外装ケース２の側面と略垂直をなす方向に延在されていて、レンズ装置３の光軸Ｌとも略垂直に交差するように構成されている。この記憶媒体収納部６は、取付ブラケット３１を介して外装ケース２の内面に固定されて所定位置に支持されている。この記憶媒体収納部６の取付状態として、この実施例では、記憶媒体収納部６が延在する方向を、外装ケース２の側面と略垂直をなす方向に設定したが、本発明は、この実施例に限定されるものではなく、例えば、外装ケース２の側面と適宜な角度傾斜させて、情報記憶媒体５を斜めに収納する構成としてもよい。
【００２８】
更に、記憶媒体収納部６の設置位置についても、この実施例に限定されるものではなく、表示装置４が取り付けられている場所であれば、外装ケース２の上面や前面その他の適宜な箇所に設置できるものである。なお、図１等に示すように、外装ケース２の収納用凹部２１の上側には、複数の操作ボタンを有する操作部３３と、外部の電子機器や電子装置と接続するための接続端子３４が設けられている。
【００２９】
また、図４に示すように、外装ケース２の表示装置４と反対側の側面には、この外装ケース２を把持するための把持部３５が設けられている。この把持部３５は、その内部に収納された、図に現れないメカデッキのカバー部材を兼ねている。この把持部３５の上部を外側へ開くことにより、内蔵されたメカデッキのカセット挿入口が露出され、テープカセットの着脱操作が可能となっている。この把持部３５の開放動作は、把持部３５の上部に設けたロック解除ボタン３６を後方へスライド操作することによってロックが解除され、そのロック解除後に、手動操作（自動操作としてもよい。）で側方へ開くことにより、実行される。一方、把持部３５の閉鎖動作は、開放状態の把持部３５を内側へ押圧して所定位置まで押し込むことによって実行される。
【００３０】
この把持部３５の上部後方に、モード選択スイッチを兼ねる電源スイッチ４１と、静止画の撮影を行うシャッタボタン４２と、所定の範囲内で画像を連続的に拡大（テレ）又は縮小（ワイド）させるズームボタン４３が設けられている。電源スイッチ４１は、回動操作によって電源をオン・オフ切り換える機能と、電源をオンした状態で回動操作することにより複数の機能モードを繰り返すように切り換える機能とを有している。この電源スイッチ４１の下方に、動画撮影を行う録画ボタン４４が設けられている。
【００３１】
更に、把持部３５の下部には、前後方向へ架け渡すようにハンドベルト４５が取り付けられ、そのハンドベルト４５にはハンドパッド４６が装着されている。ハンドベルト４５及びハンドパッド４６は、外装ケース２の把持部３５を握るユーザーの手を支え、デジタルビデオカメラ１の取り落とし等を防止するものである。
【００３２】
図１及び図２に示すように、外装ケース２の背面には、携帯用電源であるバッテリー装置５０が着脱可能に装着されるバッテリー収納部４８が設けられている。このバッテリー収納部４８は、外装ケース２の背面において、その中央部から下面にかけて連続する凹部として構成されている。このバッテリー収納部４８の上方に、半月形のドーム状とされたビューファインダ装置７が配置されている。
【００３３】
バッテリー収納部４８は、バッテリー装置５０と略等しい大きさを有する長方形の凹部を備えており、その凹部内には、上下方向へスライド可能とされた、図示しない４本の係合爪が設けられている。この４本の係合爪によってバッテリー装置５０は、着脱可能とされてバッテリー収納部４８に保持されている。
【００３４】
このような構成を有するデジタルビデオカメラ１は、例えば、次のようにして使用される。情報記憶媒体として半導体記憶媒体５を用いる場合には、まず、図１に示すように、表示装置４を側方に回動させて記録媒体挿入口２２を開放させる。この記録媒体挿入口２２に半導体記憶媒体５の差込側を対向させ、そのまま差し込む。この半導体記憶媒体５をある位置まで差し込むことにより、半導体記憶媒体５の先部が、記憶媒体収納部６内に配置されているプッシュ・プッシュ機構２９に当接される。この状態では、半導体記憶媒体５の後部は、記録媒体挿入口２２から少し飛び出している。
【００３５】
このとき、半導体記憶媒体５の接続端子の接点と、デジタルビデオカメラ１の本体側接続端子の接点とが互いに接触して、電気的に接続されている関係となるように構成することが好ましい。そのような構成とすることにより、半導体記憶媒体５の中途半端は装着状態においても、例えば、ユーザーが使用（例えば、静止画や動画の記録又は再生、音楽等の電子情報の記録又は再生等）しても、不具合を生ずることなく使用することができる。
【００３６】
半導体記憶媒体５をある位置まで挿入した後、プッシュ・プッシュ機構２９からの反力に抗して押圧し、更に半導体記憶媒体５を所定位置まで差し込むようにする。これにより、半導体記憶媒体５が記憶媒体収納部６内の所定位置にロックされ、半導体記憶媒体５の接続端子の接点と本体側接続端子の接点とが接触して電気的に接続される。これにより、完全な電気的接続状態において、デジタルビデオカメラ１の使用（例えば、静止画や動画の記録又は再生、音楽等の電子情報の記録又は再生等）が可能となる。
【００３７】
このような正規の作業工程（順序）に反して、例えば、半導体記憶媒体５の後部（背中部分）が記録媒体挿入口２２から飛び出している状態のまま、ユーザーが誤って表示装置４を閉じてしまうことが考えられる。しかしながら、かかる場合においても、本実施例によれば、半導体記憶媒体５の背中部分は、パネルケース１２の枠部分１６、特に、上枠片１６ｂの遮蔽部１８に当接することになる（図５を参照）。そのため、半導体記憶媒体５の背中部分が平面パネル１１の表示面に当接するのを防ぐことができ、その背中部分によって平面パネル１１が破損するのを防止することができる。
【００３８】
また、半導体記憶媒体５が正常な状態で記憶媒体収納部６に挿入（収納）されている状態において、例えば、輸送時の振動、ガタツキ等によって半導体記憶媒体５のロックが解除され、半導体記憶媒体５が抜け出る状態になってしまった場合にも、半導体記憶媒体５の移動軌跡上の後方にはパネルケース１２の枠部分１６が隣接されている。これにより、半導体記憶媒体５の背中部分がパネルケース１２の枠部分１６によって押さえられるために、半導体記憶媒体５の抜け出しが防止され、半導体記憶媒体５とデジタルビデオカメラ１の電気的接続状態を維持することができる。そのため、半導体記憶媒体５の脱落により落として紛失したり、電気的な接続不良によって撮影チャンスを逃がす等の不具合の発生を防止することができる。
【００３９】
以上説明したように、本発明の電子機器の一具体例を示す撮像装置によれば、メモリカード等の半導体記憶媒体の挿入口と表示装置のケースの枠部分をオーバラップさせ、半導体記憶媒体の移動を表示装置で阻止し得る構成としたため、ユーザーが半導体記憶媒体を所定位置まで差し込んでいない状態において、誤って表示装置を閉じようとした場合であっても、半導体記憶媒体の背中部分が表示装置の枠部分に当接するため、その背中部分によって平面パネルを傷付けるおそれを無くすことができる。
【００４０】
本発明は、前述しかつ図面に示した実施の形態に限定されるものではなく、その要旨を逸脱しない範囲内で種々の変形実施が可能である。例えば、前記実施例では、撮像装置の具体例としてデジタルビデオカメラに適用した例について説明したが、アナログビデオカメラに適用できることは勿論のこと、表示装置を備えた電子機器であれば、電子スチルカメラ、パーソナルコンピュータ、電子辞書、携帯電話その他各種の電子機器に適用できるものである。また、前記実施例においては、表示装置のパネルケースの枠部分の一部を、電子機器の記憶媒体挿入口の一部とオーバラップさせる構成としたが、記憶媒体挿入口の全体を枠部分で閉塞する構成としてもよいことは勿論である。
【図面の簡単な説明】
【００４１】
【図１】本発明の電子機器の第１の実施の例を示すデジタルビデオカメラ（撮像装置）の表示装置を開いた状態を背面側から見た斜視図である。
【図２】本発明の電子機器の第１の実施の例を示すデジタルビデオカメラの表示装置を閉じた状態を背面側から見た斜視図である。
【図３】本発明の電子機器の第１の実施の例を示すデジタルビデオカメラの表示装置側を正面側から見た斜視図である。
【図４】本発明の電子機器の第１の実施の例を示すデジタルビデオカメラのメカデッキ側を正面側から見た斜視図である。
【図５】本発明の電子機器の第１の実施の例を示すデジタルビデオカメラの表示装置側の側面図である。
【図６】本発明の電子機器の第１の実施の例を示すデジタルビデオカメラの一部を断面した平面図である。
【符号の説明】
【００４２】
１…デジタルビデオカメラ（電子機器）、  ２…外装ケース（装置本体）、  ３…レンズ装置、  ４…表示装置、  ５…半導体記憶媒体（情報記憶媒体）、  ６…記憶媒体収納部、  １１…平面パネル、  １２…パネルケース、  １３…パネル支持部、  １６…枠部分、  １６ｂ…上枠片、  １８…遮蔽部、  ２２…記憶媒体挿入口、  ２９…プッシュ・プッシュ機構、  ５０…バッテリー装置
【図１】
2007174365.tif 000003
【図２】
2007174365.tif 000004
【図３】
2007174365.tif 000005
【図４】
2007174365.tif 000006
【図５】
2007174365.tif 000007
【図６】
2007174365.tif 000008